(57)【特許請求の範囲】
【請求項１】
交信距離内に位置された携帯通信機との間でデータ通信を行ない、その携帯通信機から送信された認証情報の適否を判断して錠装置の施解錠を制御する施解錠制御装置を備える施解錠制御システムであって、
携帯型電話装置に、基地局との無線通信を行う無線通信部とは別の通信規格により前記施解錠制御装置との間でのデータ通信が可能なワイヤレスデータ通信手段を設け、その携帯型電話装置の固有のＩＤ情報を前記認証情報として用いることにより、前記携帯通信機として、前記携帯型電話装置の使用が可能とされていると共に、前記施解錠制御装置には予め複数のＩＤ情報が登録可能とされ、
前記施解錠制御装置は、交信可能範囲内に向けて定期的にスキャン信号を発信し、前記携帯型電話装置がそのスキャン信号を受信することに基づいて、それら施解錠制御装置及び携帯型電話装置がデータ通信可能なモードとなり、このモードにおいて、前記携帯型電話装置のキー操作部からの入力により解錠操作あるいは施錠操作が行われると、解錠信号あるいは施錠信号が前記ＩＤ情報と共に送信され、前記施解錠制御装置はその解錠信号あるいは施錠信号を受信すると、その信号に含まれるＩＤ情報を登録されたＩＤ情報と照合していずれかと一致した場合に解錠あるいは施錠を制御することを特徴とする施解錠制御システム。
【請求項２】
前記携帯型電話装置は、キー操作部から入力されたパスワードを前記ＩＤ情報と共に送信するようになっていると共に、前記施解錠制御装置は、予め登録されているパスワードと送信されたパスワードとの照合を含めて施解錠の制御を行なうことを特徴とする請求項１記載の施解錠制御システム。
【請求項３】
前記ワイヤレスデータ通信手段は、Bluetooth 規格による無線通信により、前記施解錠制御装置との間でデータ通信を行なうことを特徴とする請求項１又は２記載の施解錠制御システム。
【発明の詳細な説明】
【０００１】
【発明の属する技術分野】
本発明は、家屋や自動車のドア、各種施設の入口などの施解錠の制御を、携帯通信機との間でのデータ通信に基づいて行なうことができる施解錠制御システムに関する。
【０００２】
【発明が解決しようとする課題】
近年の携帯型電話装置（携帯電話機やＰＨＳ端末機）の普及により、携帯型電話装置を持ち歩く人が圧倒的に増えてきている。一方、近年では、自動車や家等の鍵として、従来の機械的なキーに代えて、例えばカード型の携帯通信機による電波によって、ドアロック機構の施解錠を制御するようにした、キーレスエントリシステムと称される施解錠制御システムが普及してきている。この場合、使用者は外出する際に、鍵としての携帯通信機を携帯することになる。
【０００３】
ところが、上記したような携帯型電話装置に加え、家や自動車の鍵として機能する携帯通信機を持ち歩くことは、持ち物が多くなってユーザにとっては不便なことであるといえる。このとき、携帯型電話装置も携帯通信機も、共に無線通信部を備えるものでありながら、従来では、上記したユーザにとっての不便さは考慮されることはく、それらを兼用化するといったことが試みられることはなかった。
【０００４】
本発明は上記事情に鑑みてなされたもので、その目的は、携帯型電話装置を、鍵として使用する携帯通信機と兼用させることを可能とし、ひいてはユーザの利便性の向上を図ることができる施解錠制御システムを提供するにある。
【０００５】
【課題を解決するための手段】
本発明の請求項１の施解錠制御システムは、携帯型電話装置に無線通信部とは別の通信規格によりデータ通信を行うワイヤレスデータ通信手段を設け、その携帯型電話装置の固有のＩＤ情報を認証情報として用いることにより、施解錠制御装置との間でのデータ通信を行なうための携帯通信機として、携帯型電話装置の使用を可能とすると共に、前記施解錠制御装置に予め複数のＩＤ情報を登録可能とし、施解錠制御装置は、交信可能範囲内に向けて定期的にスキャン信号を発信し、携帯型電話装置がそのスキャン信号を受信することに基づいて、それら施解錠制御装置及び携帯型電話装置がデータ通信可能なモードとなり、このモードにおいて、携帯型電話装置のキー操作部からの入力により解錠操作あるいは施錠操作が行われると、解錠信号あるいは施錠信号がＩＤ情報と共に送信され、施解錠制御装置はその解錠信号あるいは施錠信号を受信すると、その信号に含まれるＩＤ情報を登録されたＩＤ情報と照合していずれかと一致した場合に解錠あるいは施錠を制御するように構成したところに特徴を有する。
【０００６】
これによれば、携帯型電話装置が備えるワイヤレスデータ通信手段により、施解錠制御装置との間でのデータ通信を行ない、錠装置の施解錠の制御を行なわせることができる。この場合、携帯型電話装置は、各々が電話番号などの世界中で固有の携帯機ＩＤを元々有しているので、施解錠の制御に使用される認証情報として、その携帯型電話装置に付与された固有のＩＤ情報を用いるようにすれば、誤った認証を行なって誤動作する等の混乱を招くことなく、ユーザ側にて、施解錠制御装置における認証情報を容易に設定することが可能となる。
【０００７】
従って、携帯型電話装置を、施解錠制御システムの鍵として使用する携帯通信機と兼用させることができ、ユーザは、携帯型電話装置を携帯していれば、別途に携帯通信機を携帯する必要がなくなり、ユーザの利便性の向上を図ることができるという優れた効果を奏する。このとき、施解錠制御装置において複数のＩＤ情報を登録することにより、複数の携帯型電話装置を鍵として使用することができ、また、携帯型電話装置と専用の携帯通信機との双方を鍵として使用することができる。
【０００８】
このとき、携帯型電話装置側において、キー操作部から入力されたパスワードをＩＤ情報と共に認証情報として送信し、施解錠制御装置側では、予め登録されているパスワードと送信されたパスワードとの照合を含めて施解錠の制御を行なうように構成することができる（請求項２の発明）。これによれば、ＩＤ情報に加えてパスワードにより認証が行なわれるので、より一層セキュリティ性を向上させることができ、また、パスワードの入力には、電話番号等の入力のために携帯型電話装置が元々持っているキー操作部を利用することができるので、構成の追加等を伴わずに実現することができる。
【０００９】
また、近年では、携帯型電話装置に、Bluetooth （登録商標）規格による通信手段（Bluetooth ユニット）を設け、例えばパソコン等の他の機器とのワイヤレスデータ通信を可能とすることが考えられており、上記ワイヤレスデータ通信手段としては、Bluetooth 規格による無線通信を行なうように構成することができる（請求項３の発明）。これによれば、施解錠制御装置との通信専用の通信手段を設けることなく、携帯型電話装置と施解錠制御装置との間のワイヤレスデータ通信を容易に行なうことが可能となる。
【００１１】
【発明の実施の形態】
以下、本発明の一実施例について、図面を参照しながら説明する。本発明を具体化した例として、この実施例に係る施解錠制御システムは、図５に模式的に示すように、家屋１の玄関のドア２を施解錠するロック装置（電気錠装置３）を制御するものであり、前記家屋１側に前記電気錠装置３の施解錠を制御する施解錠制御装置４を備え、例えば家族が所持（携帯）する携帯通信機（鍵）としての携帯型電話装置（携帯電話機）５との間でデータ通信を行なうことにより、家族のみが施解錠を行なうことができるようになっている。
【００１２】
図２には、前記家屋１側に設けられる施解錠制御装置４の電気的構成の概略を示している。この施解錠制御装置４は、マイコンを主体としてなる制御回路６に、ワイヤレスデータ通信手段として機能するBluetooth ユニット７、入力手段として機能する入力部８、ＩＤ情報やパスワードを記憶する記憶手段として機能するメモリ９を接続して構成されている。また、前記制御回路６は、前記電気錠装置３に対して施錠あるいは解錠信号を出力し、もって施解錠を制御するようになっている。
【００１３】
前記Bluetooth ユニット７は、周知のように、Bluetooth 規格によるワイヤレスデータ通信を行なうもので、後述するように、前記携帯型電話装置５との間でデータ通信を行なうようになっている。また、前記入力部８は、例えばキーボード等を備え、初期設定モードにおいて、ユーザが、ＩＤ情報（この場合携帯型電話装置５の電話番号）やパスワード等を設定，入力できるようになっている。前記メモリ９には、前記入力部８から入力されたＩＤ情報やパスワードが記憶されるようになっている。
【００１４】
一方、図１には、本実施例に係る前記携帯型電話装置５の電気的構成の概略を示している。この携帯型電話装置５は、携帯可能な大きさの本体に、マイコンを主体としてなる制御回路１０を備えると共に、その制御回路１０に接続された、送話音を入力するためのマイク１１、音声を出力するためのスピーカ１２、数字キーや各種の機能キーを有したキー操作部１３、電話番号や相手先名、各種メッセージ等の情報が表示されるディスプレイ１４、後述するＩＤ情報やパスワードなどが記憶されるメモリ１５、通信網（基地局）との無線通信を行なうＲＦ部  （無線通信部）１６を備えて構成されている。
【００１５】
また、前記ＲＦ部１６には、アンテナ１７が接続されている。これにて、詳しい説明は省略するが、前記制御回路１０の処理動作を中心としたソフトウエア的構成により、通話（電話）の機能やメール（文字メッセージ）の送受信の機能等の各種の機能が実現されるようになっている。尚、この携帯型電話装置５は、各々が世界中で固有のＩＤ情報（国、事業者番号、電話番号等）を有している。
【００１６】
そして、前記制御回路１０には、ワイヤレスデータ通信手段として機能するBluetooth ユニット１８が接続されている。このBluetooth ユニット１８は、前記Bluetooth ユニット７と同様に、Bluetooth 規格によるワイヤレスデータ通信を行なうもので、例えば所定の交信距離（数ｍ〜１０ｍ程度）内においてパソコン等の他の機器との間でのワイヤレスデータ通信が可能とされている。携帯型電話装置５は、このBluetooth ユニット１８により、施解錠制御装置４（Bluetooth ユニット７）との間でのデータ通信を行なうことが可能とされている。
【００１７】
さて、前記施解錠制御装置４は、制御回路６のソフトウエア的構成により、前記Bluetooth ユニット７により、交信距離内に位置された携帯通信機（携帯型電話装置５）との間でデータ通信を行ない、その携帯型電話装置５から送信された認証情報を、予め登録された認証情報と照合し、その照合結果に基づいて、前記電気錠装置３の施解錠を制御するようになっている。
【００１８】
より具体的には、施解錠制御装置４には、上述のように、予め前記入力部８におけるユーザの操作により、ＩＤ情報この場合携帯型電話装置５の電話番号が認証情報として入力され、前記メモリ９に登録，記憶されるようになっている。この場合、家族が夫々有する複数の携帯型電話装置５を携帯通信機（鍵）として使用する場合には、複数のＩＤ情報が登録されるようになっている。
【００１９】
そして、後の作用説明でも述べるように、施解錠制御装置４は、通常の使用時においては、交信可能範囲内に向けて定期的（間欠的）にスキャン信号を発信するようになっていると共に、前記携帯型電話装置５からの侵入信号を受信すると、その携帯型電話装置５との通信モードとなってリクエスト信号を送信するようになっている。そして、携帯型電話装置５からの解錠信号あるいは施錠信号を受信すると、その信号に含まれるＩＤ情報（この場合電話番号）を、メモリ９に登録されたＩＤ情報と照合し、一致していれば電気錠装置３を解錠あるいは施錠するようになっている。
【００２０】
これに対し、前記携帯型電話装置５は、前記制御回路１０のソフトウエア的構成により、前記施解錠制御装置４（Bluetooth ユニット７）との交信距離内に侵入した状態で、前記Bluetooth ユニット１８により、施解錠制御装置４との間でデータ通信を行ない、施解錠を行なうための鍵としての機能を果たすようになっている。
【００２１】
より具体的には、後の作用説明でも述べるように、携帯型電話装置５は、前記施解錠制御装置４からのスキャン信号を受信すると、ＲＦ部１６を用いた通常の通信モードから、Bluetooth ユニット１８を用いて前記施解錠制御装置４（Bluetooth ユニット７）との間でワイヤレスデータ通信を行なう施解錠制御モードに切替わるようになっている。
【００２２】
そして、この施解錠制御モードにおいて、前記キー操作部１３において、解錠（ＵＮＬＯＣＫ）操作がなされると、解錠信号と共にその携帯型電話装置５固有のＩＤ情報（電話番号データ）を、施解錠制御装置４に向けて送信するようになっている。また、キー操作部１３において、施錠（ＬＯＣＫ）操作がなされると、施錠信号と共にその携帯型電話装置５固有のＩＤ情報（電話番号データ）を、施解錠制御装置４に向けて送信するようになっている。従って、制御回路１０が、通信制御手段として機能するようになっている。
【００２３】
尚、上記したキー操作部１３における解錠操作及び施錠操作としては、キー操作部１３のいずれかのキー（例えば「＃」キーや「＊」キー）を操作することにより、キーを兼用させるようにしても良く、あるいは、専用のキーを設けるようにしても良い。また、キー操作部１３におけるユーザのキャンセル操作により、施解錠制御モードから通信モードに戻すこともできるようになっている。
【００２４】
次に、上記構成の作用について、図３及び図４も参照して述べる。上記した施解錠制御システムにおいて、携帯型電話装置５を鍵（携帯通信機）として利用するには、まず、上述のように、施解錠制御装置４に対するＩＤ情報の登録が必要となる。このＩＤ情報の登録は、例えば、施解錠制御装置４の初期設定モード  （登録モード）において、ユーザが入力部８のテンキーを操作して、対象となる携帯型電話装置５の電話番号を入力することにより行なわれる。複数の携帯型電話装置５に適用する場合には、それらの分だけ夫々ＩＤ情報を入力する。これにより、メモリ９にＩＤ情報が登録，記憶される。
【００２５】
図３のフローチャートは、携帯型電話装置５の制御回路１０が実行する施解錠制御装置４とのデータ通信に係る制御手順を示しており、図４のフローチャートは、施解錠制御装置４の制御回路６が実行する施解錠制御の処理手順を示している。即ち、まず施解錠制御装置４は、通常時において、交信可能範囲（例えば数ｍ〜１０ｍ程度の範囲）内に向けて定期的（間欠的）にスキャン信号を発信するようになっている（図４のステップＰ１）。
【００２６】
ここで、携帯型電話装置５を所持するユーザが、例えば外出先から帰って来てドア２の近傍まで近付き、携帯型電話装置５が前記交信可能範囲内に侵入すると、前記施解錠制御装置４のスキャン信号を受信するようになる（図３のステップＳ１にてＹｅｓ）。そして、このスキャン信号を受信すると、交信可能範囲内に侵入した旨を示す侵入信号を施解錠制御装置４に向けて送信するようになる（ステップＳ３）。尚、携帯型電話装置５は、前記交信可能範囲外では、通常の通信モードとされ、通話（電話）の機能やメール（文字メッセージ）の送受信の機能等の各種の機能が実現されるようになっている（ステップＳ２）。
【００２７】
施解錠制御装置４は、上記携帯型電話装置５からの侵入信号を受信すると（図４のステップＰ２にてＹｅｓ）、Bluetooth ユニット７と携帯型電話装置５のBluetooth ユニット１８との間でワイヤレスデータ通信を行なうためのデータ通信モードとされるようになり（ステップＰ３）、今度は、リクエスト信号を携帯型電話装置５に向けて送信するようになる（ステップＰ４）。
【００２８】
そして、携帯型電話装置５は、前記リクエスト信号を受信すると（図３のステップＳ４にてＹｅｓ）、通信モードから施解錠制御モードに切替えられるようになる（ステップＳ５）。詳しく図示はしていないが、この施解錠制御モードにおいては、例えばディスプレイ１４に、施解錠制御モードに切替わった旨が表示されると共に、解錠の場合には「＃」キー、施錠の場合には「＊」キーを操作すべき旨が表示されるようになる。尚、ここで、ユーザがキー操作部１３においてキャンセル操作を行なえば、通常の通信モードに戻すことができる。
【００２９】
今、ユーザ（携帯型電話装置５の所持者）が、ドア２を開けて入室すべく、施錠（ＬＯＣＫ）状態にある電気錠装置３を解錠（ＵＮＬＯＣＫ）させたい場合には、キー操作部１３において解錠操作この場合「＃」キーのオン操作を行なう  （図３のステップＳ６にてＹｅｓ）。すると、解錠信号がＩＤ情報（その携帯型電話装置５の電話番号のデータ）と共に施解錠制御装置４に向けて送信されるようになる（ステップＳ８）。また、ユーザが、外出のためドアから出て施錠を行ないたい場合には、キー操作部１３において施錠操作この場合「＊」キーのオン操作を行なう（ステップＳ７にてＹｅｓ）。すると、施錠信号がＩＤ情報と共に施解錠制御装置４に向けて送信されるようになる（ステップＳ９）。
【００３０】
これに対し、施解錠制御装置４は、上記解錠信号あるいは施錠信号を受信すると（図４のステップＰ５にてＹｅｓ）、その信号に含まれる認証情報としてのＩＤ情報が、登録されたＩＤ情報のいずれかと一致するかどうかを照合する（ステップＰ６）。その結果、一致しなかった場合には（ステップＰ７にてＮｏ）、携帯型電話装置５に対してエラー信号を送信する（ステップＰ８）。
【００３１】
照合の結果、ＩＤ情報が一致した場合には（ステップＰ７にてＹｅｓ）、受信信号が解錠信号であったときには（ステップＰ９にてＹｅｓ）、電気錠装置３に向けて解錠信号を出力して解錠させ（ステップＰ１０）、この後、施解錠の制御が完了した旨の完了信号を携帯型電話装置５に向けて送信する（ステップＰ１１）。受信信号が施錠信号であったときには（ステップＰ９にてＮｏ）、電気錠装置３に向けて施錠信号を出力して施錠させ（ステップＰ１２）、この後、完了信号を携帯型電話装置５に向けて送信する（ステップＰ１３）。
【００３２】
携帯型電話装置５は、前記完了信号を受信すると（図３のステップＳ１０にてＹｅｓ）、例えばディスプレイ１４の画面（あるいはブザー音）にて完了報知を行なう（ステップＳ１１）。また、携帯型電話装置５は、上記エラー信号を受信した場合には（ステップＳ１０にてＮｏ）、エラー報知を行なうようになっている（ステップＳ１２）。これにて、ユーザは、携帯型電話装置５を鍵としたいわゆる遠隔操作により、ドア２の電気錠装置３の施錠，解錠を行なうことができるようになっているのである。
【００３３】
尚、本実施例では、施解錠制御装置４は、上記電気錠装置３の解錠が行なわれた後、一定時間が経過すると（図４のステップＰ１４にてＹｅｓ）、自動的に電気錠装置３の施錠がなされるようになっている（ステップＰ１５）。あるいは、携帯型電話装置５が交信距離内から離れたとき即ち侵入信号の受信がなくなったときに、電気錠装置３を自動的に施錠するように構成しても良い。
【００３４】
また、施解錠制御装置４は、電気錠装置３が施解錠された時間や、そのときのＩＤ情報（使用された携帯型電話装置５）等のデータを記憶しておくこともできる。さらには、上記エラー（ＩＤ情報の不一致）が複数回連続した場合には、以降の信号の受付を禁止するといったこともできる。携帯型電話装置５の機種変更がされても、電話番号の変更がなければそのまま鍵として使用できることは勿論であり、もし電話番号が変更されても、施解錠制御装置４におけるＩＤ情報の登録を変更すれば良い。
【００３５】
このように本実施例によれば、携帯型電話装置５にBluetooth ユニット１８を設け、施解錠制御装置４との間でのデータ通信を行ない、電気錠装置３の施解錠の制御を行なわせることができるようになった。この結果、携帯型電話装置５を、施解錠制御システムの鍵として使用する携帯通信機と兼用させることができ、ユーザは、携帯型電話装置５を携帯していれば、別途に携帯通信機を携帯する必要がなくなり、ユーザの利便性の向上を図ることができるという優れた効果を奏する。
【００３６】
この場合、施解錠制御装置４における施解錠の制御に使用される認証情報として、その携帯型電話装置５に付与された固有のＩＤ情報を用いるようにしたので、誤った認証を行なって誤動作する等の混乱を招くことなく、ユーザ側にて、施解錠制御装置４における認証情報を容易に設定することが可能となる。また、特に本実施例では、ワイヤレスデータ通信手段として、パソコン等の他の機器とのデータ通信が可能なBluetooth ユニット１８を採用したので、施解錠制御装置４との通信専用の別途の通信手段を設けることなく、携帯型電話装置５と施解錠制御装置４との間のワイヤレスデータ通信を容易に行なうことができるといった利点も得ることができる。
【００３７】
尚、本発明は上記した実施例に限定されるものではなく、以下のような種々の拡張，変更が可能であり、さらには、記載した以外でも要旨を逸脱しない範囲内で適宜変更して実施することができる。
【００３８】
即ち、上記実施例では、ワイヤレスデータ通信手段として、携帯型電話装置５にBluetooth ユニット１８を設け、Bluetooth 規格による無線通信を行なうようにしたが、Bluetooth 規格以外の各種規格のワイヤレスデータ通信手段を採用しても良いことは勿論である。
【００３９】
また、上記実施例では、認証情報として、携帯型電話装置５のＩＤ情報（電話番号）を採用するようにしたが、これに加えて、パスワードによる認証を行なうようにしても良い。例えば、電気錠装置を解錠させたい場合には、施解錠制御モードにおいて、ユーザが携帯型電話装置のキー操作部を用いてパスワードの入力を行ない、その入力されたパスワードデータをＩＤ情報と共に送信するようにし、施解錠制御装置側では、ＩＤ情報及びパスワードの双方について、予めメモリに登録されたそれらのデータとの照合を行ない、一致した場合に解錠するといった構成とすることができる。この場合、パスワードとしては、施解錠制御装置側において予め設定されていても良いし、携帯型電話装置のパスワードをそのまま採用したり、ユーザが任意のパスワードを設定可能な構成としたりすることもできる。
【００４１】
その他、施解錠制御装置側におけるＩＤ情報やパスワードの登録に関しても、データ通信により行なうようにしても良く、データ通信における確認プロトコルとしても種々の変更が可能である。また、例えば家の玄関のドアの施解錠に限らず、自動車のドアや特定の施設のドアの施解錠等に本発明を適用するようにしても良く、さらには、携帯型電話装置にはＰＨＳ端末機等も含まれることは勿論である。携帯型電話装置と施解錠専用の携帯通信機との双方を鍵として使用できる構成としても良いことは勿論である。
【図面の簡単な説明】
【図１】本発明の一実施例を示すもので、携帯型電話装置の電気的構成を概略的に示すブロック図
【図２】施解錠制御装置の電気的構成を概略的に示すブロック図
【図３】携帯型電話装置の制御回路が実行する処理手順を示すフローチャート
【図４】施解錠制御装置の制御回路が実行する処理手順を示すフローチャート
【図５】システムの全体構成を模式的に示す図
【符号の説明】
図面中、２はドア、３は電気錠装置（錠装置）、４は施解錠制御装置、５は携帯型電話装置、６は制御回路、７はBluetooth ユニット、８は入力部、９はメモリ、１０は制御回路（通信制御手段）、１３はキー操作部、１５はメモリ、１６はＲＦ部、１８はBluetooth ユニット（ワイヤレスデータ通信手段）を示す。
【図１】
0003729007.tif 000002
【図２】
0003729007.tif 000003
【図３】
0003729007.tif 000004
【図４】
0003729007.tif 000005
【図５】
0003729007.tif 000006